(57)【要約】【課題】本発明は防塵電気スタンドを開示した。【解決手段】台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、前記ロックブロックと前記押し溝との間には押圧ばねが固定的に設置され、本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動する。【選択図】図１
2020161462.tif 000002
【特許請求の範囲】
【請求項１】
台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、前記ロックブロックと前記押し溝との間には押圧ばねが固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中にはプッシュ溝が連通し設置され、前記プッシュロッドの下端と前記プッシュ溝との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝と前記ロックブロックとが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結される；前記ロック溝と前記ロックブロックとが挿入して連結され、前記防塵板が前記電球を包み防塵できることを特徴とする防塵電気スタンド。
【請求項２】
前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結される；前記モータが始動し、それぞれ前記プッシュロッドの昇降と前記防塵板の開閉とを駆動することを特徴とする請求項１に記載の防塵電気スタンド。
【請求項３】
前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されている；前記モータが前記連結歯車を回転駆動するとき、前記防塵板を回転させることを特徴とする請求項１に記載の防塵電気スタンド。
【発明の詳細な説明】
【技術分野】
【０００１】
本発明はインテリア技術分野を取り上げて、具体的には防塵電気スタンドである。
【背景技術】
【０００２】
現在の防塵電気スタンドはランプシェード持ちと人工で防塵布を設置するといった二種類に分けられ、人工で防塵布を設置するとき、電気スタンドの電球が壊れやすく、また電気スタンドを使用するとき、まず手動で防塵布を取り出さなければいけなく、操作が複雑で、使用が不便であり、また、ランプシェード持ちの電気スタンドは下端が開口しており、埃が入りやすく、またランプシェードが固定されており、照明範囲と輝度とが小さく、従って、既存の電気スタンドを更に改善する必要があり、それにより電気スタンドの防塵効果を高める。
【先行技術文献】
【特許文献】
【０００３】
【特許文献１】中国特許出願公開第107091452号明細書
【発明の概要】
【発明が解決しようとする課題】
【０００４】
本発明の目的は防塵電気スタンドを提供し、それは上記の現在の技術中の問題を解決できる。
【課題を解決するための手段】
【０００５】
本発明の防塵電気スタンドは、台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、前記ロックブロックと前記押し溝との間には押圧ばねが固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中にはプッシュ溝が連通し設置され、前記プッシュロッドの下端と前記プッシュ溝との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝と前記ロックブロックとが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結される；前記ロック溝と前記ロックブロックとが挿入して連結され、前記防塵板が前記電球を包み防塵できる。
【０００６】
さらなる技術プラン、前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結される；前記モータが始動し、それぞれ前記プッシュロッドの昇降と前記防塵板の開閉とを駆動する。
【０００７】
さらなる技術プラン、前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されている；前記モータが前記連結歯車を回転駆動するとき、前記防塵板を回転させる。
【発明の効果】
【０００８】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【図面の簡単な説明】
【０００９】
【図１】図１は本発明の防塵電気スタンドの内部全体構成略図である；
【図２】図２は本発明の図１のＡの拡大構成略図である；
【図３】図３は本発明の図１のＢの拡大構成略図である；
【図４】図４は本発明の図１のＣ−Ｃ方向の構成略図である；
【図５】図５は本発明の図４のＤの拡大構成略図である。
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明の防塵電気スタンドは、台座１１を含み、前記台座１１の上端には柱１２が固定的に設置され、前記柱１２の上端には電球１４が固定的に設置され、前記電球１４がワイヤー１３により外部の電源とにより連結され、前記柱１２の中には左右に対称的な押し溝２０が設置され、前記押し溝２０の中にはロックブロック２２がスライドできるように設置され、前記ロックブロック２２と前記押し溝２０との間には押圧ばね２３が固定的に設置され、前記ロックブロック２２の中には貫通溝２４が設置され、前記押し溝２０の下側にはスライド溝１９が連通し設置され、前記スライド溝１９の中には前記貫通溝２４と当接しているスライドロッド２１がスライドできるように設置され、前記スライド溝１９の下側には連通チャンバ１８が連通し設置され、前記連通チャンバ１８の中には両側の前記スライドロッド２１の下端と固定的に連結されるプッシュロッド１６がスライドできるように設置され、前記連通チャンバ１８の下端壁の中にはプッシュ溝１５が連通し設置され、前記プッシュロッド１６の下端と前記プッシュ溝１５との間には回転ばね１７が固定的に設置され、前記プッシュ溝１５の右側には駆動装置１００が設置され、前記駆動装置１００と前記プッシュロッド１６とが噛合しており、前記柱１２の上端面には固定ロッド２５が左右に対称的に固定的に設置され、前記固定ロッド２５の上端の間には頂部板２６が固定的に設置され、前記頂部板２６と前記柱１２との間には伝動装置２００が設置され、前記伝動装置２００と前記駆動装置１００とが動力が伝達できるように連結され、前記頂部板２６の中には四つの開溝３２が均一に設置され、前記開溝３２の中には回転軸３３により防塵板３４が回転できるように設置され、左右二つの前記防塵板３４にはロック溝３５が設置され、前記ロック溝３５と前記ロックブロック２２とが挿入して連結され、隣接の前記開溝３２の間には連通溝４０が連通し設置され、四つの前記回転軸３３の両端がそれぞれ連通の前記連通溝４０の中に挿入されており、かつ四つの前記回転軸３３の両端には伝動傘歯車４１が固定的に設置され、前記連通溝４０の中にある二つの前記伝動傘歯車４１が噛合し連結され、右側の前記回転軸３３と前記伝動装置２００との間がタイミングベルト３９により動力が伝達できるように連結される；前記ロック溝３５と前記ロックブロック２２とが挿入して連結され、前記防塵板３４が前記電球１４を包み防塵できる。
【００１２】
有益的には、前記駆動装置１００は前記プッシュ溝１５と連通している回転溝５０を含み、前記回転溝５０の中には前記プッシュロッド１６と噛合している回転輪５３が回転できるように設置され、前記回転輪５３の上端には第一傘歯車５２が噛合しており、前記第一傘歯車５２の上端面にはスリーブ５１が固定的に設置され、前記回転溝５０の上側にはスライドチャンバ４６が連通し設置され、前記スライドチャンバ４６の上下端壁には磁石５４がそれぞれ固定的に設置され、前記スライドチャンバ４６の中には前記磁石５４と磁力により吸引し合えるスライドブロック４７がスライドできるように設置され、前記スライドブロック４７の中にはモータ４８が固定的に設置され、前記モータ４８の下端には前記スリーブ５１とスプラインにより連結される動力軸４９が動力が伝達できるように連結され、前記モータ４８の上端にはスプライン軸６４が動力が伝達できるように設置され、前記スライドチャンバ４６の右側には回し溝５５が連通し設置され、前記回し溝５５の中には左端が前記スライドブロック４７とヒンジにより連結される回しロッド５６が回転できるように設置され、前記回しロッド５６の右端が外部まで伸びており、前記回しロッド５６の下端と前記回し溝５５との間にはトーションばね５７が固定的に設置され、前記スライドチャンバ４６の上側には回転チャンバ６０が連通し設置され、前記回転チャンバ６０の中にはスプラインスリーブ５８により第二傘歯車５９が回転できるように設置され、前記スプラインスリーブ５８が前記スプライン軸６４とスプラインにより連結されることができ、前記回転チャンバ６０の中には前記第二傘歯車５９と噛合している第三傘歯車６１が歯車軸６２により回転できるように設置され、前記歯車軸６２と前記伝動装置２００との間が駆動ベルト６３により動力が伝達できるように連結される；前記モータ４８が始動し、それぞれ前記プッシュロッド１６の昇降と前記防塵板３４の開閉とを駆動する。
【００１３】
有益的には、前記伝動装置２００は前記柱１２の中に設置される空き溝２７を含み、前記空き溝２７の中には連結歯車２９が左右に対称的に回転できるように設置され、前記連結歯車２９の間がベルト３０により動力が伝達できるように連結され、左側の前記連結歯車２９の心棒２８と前記歯車軸６２とが前記駆動ベルト６３により動力が伝達できるように連結され、右側の前記連結歯車２９の上端面には第四傘歯車３１が噛合し連結され、前記第四傘歯車３１の上端には連結軸４４が固定的に設置され、前記頂部板２６の中には右側の前記固定ロッド２５により前記空き溝２７と連通している空きチャンバ３６が設置され、前記連結軸４４の上端が前記空きチャンバ３６の中に挿入されており、かつ前記連結軸４４の上端には第五傘歯車４３が固定的に設置され、前記空きチャンバ３６の中には前記第五傘歯車４３と噛合している第六傘歯車３８が固定軸３７により回転できるように設置され、前記固定軸３７と右側の前記回転軸３３との間が前記タイミングベルト３９により動力が伝達できるように連結されている；前記モータ４８が前記連結歯車２９を回転駆動するとき、前記防塵板３４を回転させる。
【００１４】
初期状態に、ロック溝３５とロックブロック２２とが挿入して連結され、スライドブロック４７と下側の磁石５４とが連結され、動力軸４９とスリーブ５１とがスプラインにより連結され、防塵板３４が電球１４を密封する。
【００１５】
装置が作動するとき、モータ４８が始動し、動力軸４９を回転駆動し、それにより回転溝５０が反時計回りに回転し、それによりプッシュロッド１６が下がり、スライドロッド２１を降下させ、それによりロックブロック２２が向かい合って移動しロック溝３５と離脱し、それにより防塵板３４のロックを解除し、回しロッド５６を下に押し、スライドブロック４７を上昇させて上側の磁石５４と連結させ、それによりスプライン軸６４とスプラインスリーブ５８とがスプラインにより連結され、それによりモータ４８が第三傘歯車６１を回転駆動し、駆動ベルト６３とベルト３０により連結軸４４を回転させ、それにより固定軸３７が回転し、タイミングベルト３９により四つの回転軸３３を同期的に上に回転させ、電球１４をオンにし照明させ、使用後に、モータ４８が逆方向に回転し防塵板３４を下に回転させ、電球１４を包み密封し、また回しロッド５６を上に回し、スライドブロック４７を下側の磁石５４と連結させ、それによりモータ４８が回転輪５３を駆動し時計回りに回転させ、それによりスライドロッド２１が上昇し、ロックブロック２２が押圧ばね２３の作用により外側に移動し、且つロックブロック２２がロック溝３５と挿入して連結され、防塵板３４をロックし、電気スタンドの防塵を行う。
【００１６】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020161462.tif 000003
【図２】
2020161462.tif 000004
【図３】
2020161462.tif 000005
【図４】
2020161462.tif 000006
【図５】
2020161462.tif 000007
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、両側の前記ロックブロックと両側の前記押し溝との間にはそれぞれ押圧ばねが固定的に設置され、両側の前記押圧ばねがそれぞれ左側の前記ロックブロックと左側の前記押し溝の右端部との間及び右方の前記ロックブロックと右側の前記押し溝の左端部との間に固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中には前記連通チャンバと連通したプッシュ溝が設置され、前記プッシュロッドの下端と前記プッシュ溝の下側内壁との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝に前記ロックブロックが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結されており、
前記ロック溝に前記ロックブロックが挿入して連結され、前記防塵板が前記電球を包み防塵できることを特徴とする防塵電気スタンド。
【請求項２】
前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝の下側内壁との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結されており、
前記モータが始動し、それぞれ前記プッシュロッドの昇降と前記防塵板の開閉とを駆動することを特徴とする請求項１に記載の防塵電気スタンド。
【請求項３】
前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されており、
ており、
前記モータが前記連結歯車を回転駆動するとき、前記防塵板を回転させることを特徴とする請求項２に記載の防塵電気スタンド。
【手続補正２】
【補正対象書類名】明細書
【補正対象項目名】全文
【補正方法】変更
【補正の内容】
【発明の詳細な説明】
【技術分野】
【０００１】
本発明はインテリア技術分野を取り上げて、具体的には防塵電気スタンドである。
【背景技術】
【０００２】
現在の防塵電気スタンドはランプシェード持ちと人工で防塵布を設置するといった二種類に分けられ、人工で防塵布を設置するとき、電気スタンドの電球が壊れやすく、また電気スタンドを使用するとき、まず手動で防塵布を取り出さなければいけなく、操作が複雑で、使用が不便であり、また、ランプシェード持ちの電気スタンドは下端が開口しており、埃が入りやすく、またランプシェードが固定されており、照明範囲と輝度とが小さく、従って、既存の電気スタンドを更に改善する必要があり、それにより電気スタンドの防塵効果を高める。
【先行技術文献】
【特許文献】
【０００３】
【特許文献１】中国特許出願公開第107091452号明細書
【発明の概要】
【発明が解決しようとする課題】
【０００４】
本発明の目的は防塵電気スタンドを提供し、それは上記の現在の技術中の問題を解決できる。
【課題を解決するための手段】
【０００５】
本発明の防塵電気スタンドは、台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、両側の前記ロックブロックと両側の前記押し溝との間にはそれぞれ押圧ばねが固定的に設置され、両側の前記押圧ばねがそれぞれ左側の前記ロックブロックと左側の前記押し溝の右端部との間及び右方の前記ロックブロックと右側の前記押し溝の左端部との間に固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中には前記連通チャンバと連通したプッシュ溝が設置され、前記プッシュロッドの下端と前記プッシュ溝の下側内壁との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝に前記ロックブロックが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結されており、
前記ロック溝に前記ロックブロックが挿入して連結され、前記防塵板が前記電球を包み防塵できる。
【０００６】
さらなる技術プラン、前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝の下側内壁との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結されており、
前記モータが始動し、それぞれ前記プッシュロッドの昇降と前記防塵板の開閉とを駆動する。
【０００７】
さらなる技術プラン、前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されており、
前記モータが前記連結歯車を回転駆動するとき、前記防塵板を回転させる。
【発明の効果】
【０００８】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【図面の簡単な説明】
【０００９】
【図１】図１は本発明の防塵電気スタンドの内部全体構成略図
【図２】図２は本発明の図１のＡの拡大構成略図
【図３】図３は本発明の図１のＢの拡大構成略図
【図４】図４は本発明の図１のＣ−Ｃ方向の構成略図
【図５】図５は本発明の図４のＤの拡大構成略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明の防塵電気スタンドは、台座１１を含み、前記台座１１の上端には柱１２が固定的に設置され、前記柱１２の上端には電球１４が固定的に設置され、前記電球１４がワイヤー１３により外部の電源とにより連結され、前記柱１２の中には左右に対称的な押し溝２０が設置され、前記押し溝２０の中にはロックブロック２２がスライドできるように設置され、両側の前記ロックブロック２２と両側の前記押し溝２０との間にはそれぞれ押圧ばね２３が固定的に設置され、両側の前記押圧ばね２３がそれぞれ左側の前記ロックブロック２２と左側の前記押し溝２０の右端部との間及び右方の前記ロックブロック２２と右側の前記押し溝２０の左端部との間に固定的に設置され、前記ロックブロック２２の中には貫通溝２４が設置され、前記押し溝２０の下側にはスライド溝１９が連通し設置され、前記スライド溝１９の中には前記貫通溝２４と当接しているスライドロッド２１がスライドできるように設置され、前記スライド溝１９の下側には連通チャンバ１８が連通し設置され、前記連通チャンバ１８の中には両側の前記スライドロッド２１の下端と固定的に連結されるプッシュロッド１６がスライドできるように設置され、前記連通チャンバ１８の下端壁の中には前記連通チャンバ１８と連通したプッシュ溝１５が設置され、前記プッシュロッド１６の下端と前記プッシュ溝１５の下側内壁との間には回転ばね１７が固定的に設置され、前記プッシュ溝１５の右側には駆動装置１００が設置され、前記駆動装置１００と前記プッシュロッド１６とが噛合しており、前記柱１２の上端面には固定ロッド２５が左右に対称的に固定的に設置され、前記固定ロッド２５の上端の間には頂部板２６が固定的に設置され、前記頂部板２６と前記柱１２との間には伝動装置２００が設置され、前記伝動装置２００と前記駆動装置１００とが動力が伝達できるように連結され、前記頂部板２６の中には四つの開溝３２が均一に設置され、前記開溝３２の中には回転軸３３により防塵板３４が回転できるように設置され、左右二つの前記防塵板３４にはロック溝３５が設置され、前記ロック溝３５に前記ロックブロック２２が挿入して連結され、隣接の前記開溝３２の間には連通溝４０が連通し設置され、四つの前記回転軸３３の両端がそれぞれ連通の前記連通溝４０の中に挿入されており、かつ四つの前記回転軸３３の両端には伝動傘歯車４１が固定的に設置され、前記連通溝４０の中にある二つの前記伝動傘歯車４１が噛合し連結され、右側の前記回転軸３３と前記伝動装置２００との間がタイミングベルト３９により動力が伝達できるように連結されており、
前記ロック溝３５に前記ロックブロック２２が挿入して連結され、前記防塵板３４が前記電球１４を包み防塵できる。
【００１２】
有益的には、前記駆動装置１００は前記プッシュ溝１５と連通している回転溝５０を含み、前記回転溝５０の中には前記プッシュロッド１６と噛合している回転輪５３が回転できるように設置され、前記回転輪５３の上端には第一傘歯車５２が噛合しており、前記第一傘歯車５２の上端面にはスリーブ５１が固定的に設置され、前記回転溝５０の上側にはスライドチャンバ４６が連通し設置され、前記スライドチャンバ４６の上下端壁には磁石５４がそれぞれ固定的に設置され、前記スライドチャンバ４６の中には前記磁石５４と磁力により吸引し合えるスライドブロック４７がスライドできるように設置され、前記スライドブロック４７の中にはモータ４８が固定的に設置され、前記モータ４８の下端には前記スリーブ５１とスプラインにより連結される動力軸４９が動力が伝達できるように連結され、前記モータ４８の上端にはスプライン軸６４が動力が伝達できるように設置され、前記スライドチャンバ４６の右側には回し溝５５が連通し設置され、前記回し溝５５の中には左端が前記スライドブロック４７とヒンジにより連結される回しロッド５６が回転できるように設置され、前記回しロッド５６の右端が外部まで伸びており、前記回しロッド５６の下端と前記回し溝５５の下側内壁との間にはトーションばね５７が固定的に設置され、前記スライドチャンバ４６の上側には回転チャンバ６０が連通し設置され、前記回転チャンバ６０の中にはスプラインスリーブ５８により第二傘歯車５９が回転できるように設置され、前記スプラインスリーブ５８が前記スプライン軸６４とスプラインにより連結されることができ、前記回転チャンバ６０の中には前記第二傘歯車５９と噛合している第三傘歯車６１が歯車軸６２により回転できるように設置され、前記歯車軸６２と前記伝動装置２００との間が駆動ベルト６３により動力が伝達できるように連結されており、
前記モータ４８が始動し、それぞれ前記プッシュロッド１６の昇降と前記防塵板３４の開閉とを駆動する。
【００１３】
有益的には、前記伝動装置２００は前記柱１２の中に設置される空き溝２７を含み、前記空き溝２７の中には連結歯車２９が左右に対称的に回転できるように設置され、前記連結歯車２９の間がベルト３０により動力が伝達できるように連結され、左側の前記連結歯車２９の心棒２８と前記歯車軸６２とが前記駆動ベルト６３により動力が伝達できるように連結され、右側の前記連結歯車２９の上端面には第四傘歯車３１が噛合し連結され、前記第四傘歯車３１の上端には連結軸４４が固定的に設置され、前記頂部板２６の中には右側の前記固定ロッド２５により前記空き溝２７と連通している空きチャンバ３６が設置され、前記連結軸４４の上端が前記空きチャンバ３６の中に挿入されており、かつ前記連結軸４４の上端には第五傘歯車４３が固定的に設置され、前記空きチャンバ３６の中には前記第五傘歯車４３と噛合している第六傘歯車３８が固定軸３７により回転できるように設置され、前記固定軸３７と右側の前記回転軸３３との間が前記タイミングベルト３９により動力が伝達できるように連結されており、
前記モータ４８が前記連結歯車２９を回転駆動するとき、前記防塵板３４を回転させる。
【００１４】
初期状態に、ロック溝３５とロックブロック２２とが挿入して連結され、スライドブロック４７と下側の磁石５４とが連結され、動力軸４９とスリーブ５１とがスプラインにより連結され、防塵板３４が電球１４を密封する。
【００１５】
装置が作動するとき、モータ４８が始動し、動力軸４９を回転駆動し、それにより回転溝５０が反時計回りに回転し、それによりプッシュロッド１６が下がり、スライドロッド２１を降下させ、それによりロックブロック２２が向かい合って移動しロック溝３５と離脱し、それにより防塵板３４のロックを解除し、回しロッド５６を下に押し、スライドブロック４７を上昇させて上側の磁石５４と連結させ、それによりスプライン軸６４とスプラインスリーブ５８とがスプラインにより連結され、それによりモータ４８が第三傘歯車６１を回転駆動し、駆動ベルト６３とベルト３０により連結軸４４を回転させ、それにより固定軸３７が回転し、タイミングベルト３９により四つの回転軸３３を同期的に上に回転させ、電球１４をオンにし照明させ、使用後に、モータ４８が逆方向に回転し防塵板３４を下に回転させ、電球１４を包み密封し、また回しロッド５６を上に回し、スライドブロック４７を下側の磁石５４と連結させ、それによりモータ４８が回転輪５３を駆動し時計回りに回転させ、それによりスライドロッド２１が上昇し、ロックブロック２２が押圧ばね２３の作用により外側に移動し、且つロックブロック２２がロック溝３５と挿入して連結され、防塵板３４をロックし、電気スタンドの防塵を行う。
【００１６】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、両側の前記ロックブロックと両側の前記押し溝との間にはそれぞれ押圧ばねが固定的に設置され、両側の前記押圧ばねがそれぞれ左側の前記ロックブロックと左側の前記押し溝の右端部との間及び右方の前記ロックブロックと右側の前記押し溝の左端部との間に固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中には前記連通チャンバと連通したプッシュ溝が設置され、前記プッシュロッドの下端と前記プッシュ溝の下側内壁との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝に前記ロックブロックが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結されており、
前記ロック溝に前記ロックブロックが挿入して連結され、前記防塵板が前記電球を包み防塵できることを特徴とする防塵電気スタンド。
【請求項２】
前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝の下側内壁との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結されており、
前記モータが始動し、それぞれ前記プッシュロッドの昇降と前記防塵板の開閉とを駆動することを特徴とする請求項１に記載の防塵電気スタンド。
【請求項３】
前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されており、
前記モータが前記連結歯車を回転駆動するとき、前記防塵板を回転させることを特徴とする請求項２に記載の防塵電気スタンド。
【手続補正２】
【補正対象書類名】明細書
【補正対象項目名】全文
【補正方法】変更
【補正の内容】
【発明の詳細な説明】
【技術分野】
【０００１】
本発明はインテリア技術分野を取り上げて、具体的には防塵電気スタンドである。
【背景技術】
【０００２】
現在の防塵電気スタンドはランプシェード持ちと人工で防塵布を設置するといった二種類に分けられ、人工で防塵布を設置するとき、電気スタンドの電球が壊れやすく、また電気スタンドを使用するとき、まず手動で防塵布を取り出さなければいけなく、操作が複雑で、使用が不便であり、また、ランプシェード持ちの電気スタンドは下端が開口しており、埃が入りやすく、またランプシェードが固定されており、照明範囲と輝度とが小さく、従って、既存の電気スタンドを更に改善する必要があり、それにより電気スタンドの防塵効果を高める。
【先行技術文献】
【特許文献】
【０００３】
【特許文献１】中国特許出願公開第１０７０９１４５２号明細書
【発明の概要】
【発明が解決しようとする課題】
【０００４】
本発明の目的は防塵電気スタンドを提供し、それは上記の現在の技術中の問題を解決できる。
【課題を解決するための手段】
【０００５】
本発明の防塵電気スタンドは、台座を含み、前記台座の上端には柱が固定的に設置され、前記柱の上端には電球が固定的に設置され、前記電球がワイヤーにより外部の電源とにより連結され、前記柱の中には左右に対称的な押し溝が設置され、前記押し溝の中にはロックブロックがスライドできるように設置され、両側の前記ロックブロックと両側の前記押し溝との間にはそれぞれ押圧ばねが固定的に設置され、両側の前記押圧ばねがそれぞれ左側の前記ロックブロックと左側の前記押し溝の右端部との間及び右方の前記ロックブロックと右側の前記押し溝の左端部との間に固定的に設置され、前記ロックブロックの中には貫通溝が設置され、前記押し溝の下側にはスライド溝が連通し設置され、前記スライド溝の中には前記貫通溝と当接しているスライドロッドがスライドできるように設置され、前記スライド溝の下側には連通チャンバが連通し設置され、前記連通チャンバの中には両側の前記スライドロッドの下端と固定的に連結されるプッシュロッドがスライドできるように設置され、前記連通チャンバの下端壁の中には前記連通チャンバと連通したプッシュ溝が設置され、前記プッシュロッドの下端と前記プッシュ溝の下側内壁との間には回転ばねが固定的に設置され、前記プッシュ溝の右側には駆動装置が設置され、前記駆動装置と前記プッシュロッドとが噛合しており、前記柱の上端面には固定ロッドが左右に対称的に固定的に設置され、前記固定ロッドの上端の間には頂部板が固定的に設置され、前記頂部板と前記柱との間には伝動装置が設置され、前記伝動装置と前記駆動装置とが動力が伝達できるように連結され、前記頂部板の中には四つの開溝が均一に設置され、前記開溝の中には回転軸により防塵板が回転できるように設置され、左右二つの前記防塵板にはロック溝が設置され、前記ロック溝に前記ロックブロックが挿入して連結され、隣接の前記開溝の間には連通溝が連通し設置され、四つの前記回転軸の両端がそれぞれ連通の前記連通溝の中に挿入されており、かつ四つの前記回転軸の両端には伝動傘歯車が固定的に設置され、前記連通溝の中にある二つの前記伝動傘歯車が噛合し連結され、右側の前記回転軸と前記伝動装置との間がタイミングベルトにより動力が伝達できるように連結されており、
前記ロック溝に前記ロックブロックが挿入して連結され、前記防塵板が前記電球を包み防塵できる。
【０００６】
さらなる技術プラン、前記駆動装置は前記プッシュ溝と連通している回転溝を含み、前記回転溝の中には前記プッシュロッドと噛合している回転輪が回転できるように設置され、前記回転輪の上端には第一傘歯車が噛合しており、前記第一傘歯車の上端面にはスリーブが固定的に設置され、前記回転溝の上側にはスライドチャンバが連通し設置され、前記スライドチャンバの上下端壁には磁石がそれぞれ固定的に設置され、前記スライドチャンバの中には前記磁石と磁力により吸引し合えるスライドブロックがスライドできるように設置され、前記スライドブロックの中にはモータが固定的に設置され、前記モータの下端には前記スリーブとスプラインにより連結される動力軸が動力が伝達できるように連結され、前記モータの上端にはスプライン軸が動力が伝達できるように設置され、前記スライドチャンバの右側には回し溝が連通し設置され、前記回し溝の中には左端が前記スライドブロックとヒンジにより連結される回しロッドが回転できるように設置され、前記回しロッドの右端が外部まで伸びており、前記回しロッドの下端と前記回し溝の下側内壁との間にはトーションばねが固定的に設置され、前記スライドチャンバの上側には回転チャンバが連通し設置され、前記回転チャンバの中にはスプラインスリーブにより第二傘歯車が回転できるように設置され、前記スプラインスリーブが前記スプライン軸とスプラインにより連結されることができ、前記回転チャンバの中には前記第二傘歯車と噛合している第三傘歯車が歯車軸により回転できるように設置され、前記歯車軸と前記伝動装置との間が駆動ベルトにより動力が伝達できるように連結されており、
前記モータが始動し、それぞれ前記プッシュロッドの昇降と前記防塵板の開閉とを駆動する。
【０００７】
さらなる技術プラン、前記伝動装置は前記柱の中に設置される空き溝を含み、前記空き溝の中には連結歯車が左右に対称的に回転できるように設置され、前記連結歯車の間がベルトにより動力が伝達できるように連結され、左側の前記連結歯車の心棒と前記歯車軸とが前記駆動ベルトにより動力が伝達できるように連結され、右側の前記連結歯車の上端面には第四傘歯車が噛合し連結され、前記第四傘歯車の上端には連結軸が固定的に設置され、前記頂部板の中には右側の前記固定ロッドにより前記空き溝と連通している空きチャンバが設置され、前記連結軸の上端が前記空きチャンバの中に挿入されており、かつ前記連結軸の上端には第五傘歯車が固定的に設置され、前記空きチャンバの中には前記第五傘歯車と噛合している第六傘歯車が固定軸により回転できるように設置され、前記固定軸と右側の前記回転軸との間が前記タイミングベルトにより動力が伝達できるように連結されており、
前記モータが前記連結歯車を回転駆動するとき、前記防塵板を回転させる。
【発明の効果】
【０００８】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【図面の簡単な説明】
【０００９】
【図１】図１は本発明の防塵電気スタンドの内部全体構成略図
【図２】図２は本発明の図１のＡの拡大構成略図
【図３】図３は本発明の図１のＢの拡大構成略図
【図４】図４は本発明の図１のＣ−Ｃ方向の構成略図
【図５】図５は本発明の図４のＤの拡大構成略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明の防塵電気スタンドは、台座１１を含み、前記台座１１の上端には柱１２が固定的に設置され、前記柱１２の上端には電球１４が固定的に設置され、前記電球１４がワイヤー１３により外部の電源とにより連結され、前記柱１２の中には左右に対称的な押し溝２０が設置され、前記押し溝２０の中にはロックブロック２２がスライドできるように設置され、両側の前記ロックブロック２２と両側の前記押し溝２０との間にはそれぞれ押圧ばね２３が固定的に設置され、両側の前記押圧ばね２３がそれぞれ左側の前記ロックブロック２２と左側の前記押し溝２０の右端部との間及び右方の前記ロックブロック２２と右側の前記押し溝２０の左端部との間に固定的に設置され、前記ロックブロック２２の中には貫通溝２４が設置され、前記押し溝２０の下側にはスライド溝１９が連通し設置され、前記スライド溝１９の中には前記貫通溝２４と当接しているスライドロッド２１がスライドできるように設置され、前記スライド溝１９の下側には連通チャンバ１８が連通し設置され、前記連通チャンバ１８の中には両側の前記スライドロッド２１の下端と固定的に連結されるプッシュロッド１６がスライドできるように設置され、前記連通チャンバ１８の下端壁の中には前記連通チャンバ１８と連通したプッシュ溝１５が設置され、前記プッシュロッド１６の下端と前記プッシュ溝１５の下側内壁との間には回転ばね１７が固定的に設置され、前記プッシュ溝１５の右側には駆動装置１００が設置され、前記駆動装置１００と前記プッシュロッド１６とが噛合しており、前記柱１２の上端面には固定ロッド２５が左右に対称的に固定的に設置され、前記固定ロッド２５の上端の間には頂部板２６が固定的に設置され、前記頂部板２６と前記柱１２との間には伝動装置２００が設置され、前記伝動装置２００と前記駆動装置１００とが動力が伝達できるように連結され、前記頂部板２６の中には四つの開溝３２が均一に設置され、前記開溝３２の中には回転軸３３により防塵板３４が回転できるように設置され、左右二つの前記防塵板３４にはロック溝３５が設置され、前記ロック溝３５に前記ロックブロック２２が挿入して連結され、隣接の前記開溝３２の間には連通溝４０が連通し設置され、四つの前記回転軸３３の両端がそれぞれ連通の前記連通溝４０の中に挿入されており、かつ四つの前記回転軸３３の両端には伝動傘歯車４１が固定的に設置され、前記連通溝４０の中にある二つの前記伝動傘歯車４１が噛合し連結され、右側の前記回転軸３３と前記伝動装置２００との間がタイミングベルト３９により動力が伝達できるように連結されており、
前記ロック溝３５に前記ロックブロック２２が挿入して連結され、前記防塵板３４が前記電球１４を包み防塵できる。
【００１２】
有益的には、前記駆動装置１００は前記プッシュ溝１５と連通している回転溝５０を含み、前記回転溝５０の中には前記プッシュロッド１６と噛合している回転輪５３が回転できるように設置され、前記回転輪５３の上端には第一傘歯車５２が噛合しており、前記第一傘歯車５２の上端面にはスリーブ５１が固定的に設置され、前記回転溝５０の上側にはスライドチャンバ４６が連通し設置され、前記スライドチャンバ４６の上下端壁には磁石５４がそれぞれ固定的に設置され、前記スライドチャンバ４６の中には前記磁石５４と磁力により吸引し合えるスライドブロック４７がスライドできるように設置され、前記スライドブロック４７の中にはモータ４８が固定的に設置され、前記モータ４８の下端には前記スリーブ５１とスプラインにより連結される動力軸４９が動力が伝達できるように連結され、前記モータ４８の上端にはスプライン軸６４が動力が伝達できるように設置され、前記スライドチャンバ４６の右側には回し溝５５が連通し設置され、前記回し溝５５の中には左端が前記スライドブロック４７とヒンジにより連結される回しロッド５６が回転できるように設置され、前記回しロッド５６の右端が外部まで伸びており、前記回しロッド５６の下端と前記回し溝５５の下側内壁との間にはトーションばね５７が固定的に設置され、前記スライドチャンバ４６の上側には回転チャンバ６０が連通し設置され、前記回転チャンバ６０の中にはスプラインスリーブ５８により第二傘歯車５９が回転できるように設置され、前記スプラインスリーブ５８が前記スプライン軸６４とスプラインにより連結されることができ、前記回転チャンバ６０の中には前記第二傘歯車５９と噛合している第三傘歯車６１が歯車軸６２により回転できるように設置され、前記歯車軸６２と前記伝動装置２００との間が駆動ベルト６３により動力が伝達できるように連結されており、
前記モータ４８が始動し、それぞれ前記プッシュロッド１６の昇降と前記防塵板３４の開閉とを駆動する。
【００１３】
有益的には、前記伝動装置２００は前記柱１２の中に設置される空き溝２７を含み、前記空き溝２７の中には連結歯車２９が左右に対称的に回転できるように設置され、前記連結歯車２９の間がベルト３０により動力が伝達できるように連結され、左側の前記連結歯車２９の心棒２８と前記歯車軸６２とが前記駆動ベルト６３により動力が伝達できるように連結され、右側の前記連結歯車２９の上端面には第四傘歯車３１が噛合し連結され、前記第四傘歯車３１の上端には連結軸４４が固定的に設置され、前記頂部板２６の中には右側の前記固定ロッド２５により前記空き溝２７と連通している空きチャンバ３６が設置され、前記連結軸４４の上端が前記空きチャンバ３６の中に挿入されており、かつ前記連結軸４４の上端には第五傘歯車４３が固定的に設置され、前記空きチャンバ３６の中には前記第五傘歯車４３と噛合している第六傘歯車３８が固定軸３７により回転できるように設置され、前記固定軸３７と右側の前記回転軸３３との間が前記タイミングベルト３９により動力が伝達できるように連結されており、
前記モータ４８が前記連結歯車２９を回転駆動するとき、前記防塵板３４を回転させる。
【００１４】
初期状態に、ロック溝３５とロックブロック２２とが挿入して連結され、スライドブロック４７と下側の磁石５４とが連結され、動力軸４９とスリーブ５１とがスプラインにより連結され、防塵板３４が電球１４を密封する。
【００１５】
装置が作動するとき、モータ４８が始動し、動力軸４９を回転駆動し、それにより回転溝５０が反時計回りに回転し、それによりプッシュロッド１６が下がり、スライドロッド２１を降下させ、それによりロックブロック２２が向かい合って移動しロック溝３５と離脱し、それにより防塵板３４のロックを解除し、回しロッド５６を下に押し、スライドブロック４７を上昇させて上側の磁石５４と連結させ、それによりスプライン軸６４とスプラインスリーブ５８とがスプラインにより連結され、それによりモータ４８が第三傘歯車６１を回転駆動し、駆動ベルト６３とベルト３０により連結軸４４を回転させ、それにより固定軸３７が回転し、タイミングベルト３９により四つの回転軸３３を同期的に上に回転させ、電球１４をオンにし照明させ、使用後に、モータ４８が逆方向に回転し防塵板３４を下に回転させ、電球１４を包み密封し、また回しロッド５６を上に回し、スライドブロック４７を下側の磁石５４と連結させ、それによりモータ４８が回転輪５３を駆動し時計回りに回転させ、それによりスライドロッド２１が上昇し、ロックブロック２２が押圧ばね２３の作用により外側に移動し、且つロックブロック２２がロック溝３５と挿入して連結され、防塵板３４をロックし、電気スタンドの防塵を行う。
【００１６】
本発明の有益的な効果は：本発明は構造が簡単で、操作が便利であり、照明するとき、防塵板が開き、照明輝度が大きく照明範囲が広く、防塵板が閉じるとき、電球に対し防塵を行い、また、回しロッドを上下に回すことにより、モータが防塵板の開閉を駆動し、本電気スタンドの操作と使用とが便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。